(57)【要約】【課題】  ２次フィルタの洗浄時期を使用者に告知して使用者に２次フィルタの洗浄を促すことができる電気掃除機を提供する。【解決手段】  塵埃を捕捉する集塵フィルタ１３を装着可能な集塵室１２を前部に有する掃除機本体１０と、前記集塵室１２内に吸込負圧を生じさせる電動送風機１１と、前記集塵フィルタ１３の下流側に配設されていて前記集塵フィルタ１３により濾過された空気内の塵埃を捕捉するための２次フィルタ２５と、を備える電気掃除機であって、前記集塵室１２内の塵埃を付着させる接着面２９を有する接着部材２８を前記集塵室１２内に配設してある。【選択図】              図２
2006181150.tif 000002
【特許請求の範囲】
【請求項１】
塵埃を捕捉する集塵フィルタを装着可能な集塵室を有する掃除機本体と、
前記集塵室内に吸込負圧を生じさせる電動送風機と、
前記集塵フィルタの下流側に配設されていて前記集塵フィルタにより濾過された空気中の塵埃を捕捉するための２次フィルタと、
を備える電気掃除機であって、
微細な塵埃を付着させる接着面を有する接着部材を前記集塵室内に配設したことを特徴とする電気掃除機。
【請求項２】
前記接着部材は、前記集塵室に取り外し可能に配設されていることを特徴とする請求項１に記載の電気掃除機。
【請求項３】
前記接着部材は、前記接着面に付着した塵埃を除去するように洗浄可能であることを特徴とする請求項１又は２に記載の電気掃除機。
【請求項４】
前記接着部材は、前記２次フィルタの目詰まりを知らせる告知文字を形成していることを特徴とする請求項１ないし３の何れか１項に記載の電気掃除機。
【発明の詳細な説明】
【技術分野】
【０００１】
本発明は、２次フィルタの目詰まりをユーザに告知可能にした電気掃除機に関するものである。
【背景技術】
【０００２】
従来の電気掃除機には、樹脂製の掃除機本体の前部に集塵室を形成し、この集塵室内に１次フィルタとしての集塵フィルタを配設すると共に、掃除機本体の後部側に送風機室を形成し、前記集塵室に吸込負圧を作用させる電動送風機を前記送風機室に配設して、電動送風機の吸込負圧により集塵フィルタ内に塵埃を捕集させるようにしている。また、集塵フィルタで捕捉できなかった微細な塵埃は、集塵フィルタの後部側に配設された２次フィルタにより捕捉している（例えば、特許文献１参照）。
【０００３】
このような従来の電気掃除機においては、集塵フィルタの後部側にある２次フィルタが目詰まりした場合には、この２次フィルタを掃除機本体から取り外して洗浄することで２次フィルタの塵埃を定期的に除去していた。
【特許文献１】特開平９−２０１３１４号公報
【発明の開示】
【発明が解決しようとする課題】
【０００４】
しかしながら、掃除機本体の２次フィルタの洗浄時期は使用者による２次フィルタの目視や勘等に頼っていたので、２次フィルタの洗浄は必ずしも適正な時期に行われなかった。
【０００５】
本発明は、２次フィルタの洗浄時期を使用者に適正に告知することができる電気掃除機を提供することを目的とするものである。
【課題を解決するための手段】
【０００６】
本発明は、上述事情に鑑みなされたものであって、請求項１に記載の発明は、塵埃を捕捉する集塵フィルタを装着可能な集塵室を有する掃除機本体と、前記集塵室内に吸込負圧を生じさせる電動送風機と、前記集塵フィルタの下流側に配設されていて前記集塵フィルタにより濾過された空気内の塵埃を捕捉するための２次フィルタと、を備える電気掃除機であって、微細な塵埃を付着させる接着面を有する接着部材を前記集塵室内に配設したことを特徴としている。
【発明の効果】
【０００７】
本発明によれば、掃除機本体に設けられている集塵室内に塵埃を付着させる接着面を有する接着部材を設けたので、接着面に付着する塵埃の量を使用者が目視するだけで２次フィルタの目詰まり状態を容易に目視することができて、２次フィルタの洗浄時期または交換時期を確実に告知することができる。
【発明を実施するための最良の形態】
【０００８】
以下、本発明の実施例を図面に基づいて説明する。
【実施例１】
【０００９】
図１は電気掃除機の全体を示しており、この電気掃除機の掃除機本体１０内には、前部側に設けられた集塵室１２と、この集塵室１２の後部側に設けられていて集塵室１２を負圧にする電動送風機１１とが設けられている。集塵室１２内には紙パックからなる集塵フィルタ１３が着脱可能に設けられている。
【００１０】
符号１５は一端に設けられた接続部１５ａが掃除機本体１０の接続口２１に着脱可能に接続されたホースであって、このホース１５の他端には手元操作管１７設けられており、この手元操作管１７には操作スイッチ（図示せず）を有する手元操作部１７Ａが設けられている。
【００１１】
手元操作管１７には延長管１８が着脱可能に接続されており、この延長管１８の先端には吸込口体２０が着脱可能に接続されている。吸込口体２０は、底面に吸込開口（図示せず）を有する図示しない吸込室を有している。この集塵室１２は、延長管１８やホース１５等を介して掃除機本体１０の集塵室１２に連通している。
【００１２】
この集塵室１２の下流（後部）には、図２に示すように２次フィルタ本体２３が着脱可能に取り付けられている。２次フィルタ本体２３は、フィルタ保持枠２４とこのフィルタ保持枠２４に着脱可能に取り付けられた２次フィルタ２５とを有している。
【００１３】
フィルタ保持枠２４は、図３に示すように前面に格子２３ａを有していると共に、フィルタ保持枠２４の上部には表示部２７が一体的に設けられている。この表示部２７には、接着部材２８が着脱可能に取り付けられている。
【００１４】
この接着部材２８の表面には、微細な塵埃を付着可能な接着面２９が設けられており、この接着面２９で「お手入れ」の告知文字３０が形成されている。
【００１５】
接着面２９は、微細な塵埃が付着していないとき、接着部材２８と同一な色あるいは透明になっており、その告知文字（「お手入れ」）３０は、判りづらいものになっている。
そして、接着面２９に微細な塵埃が付着すると、その小さな塵埃によって告知文字３０が浮かび上がってくるようになっている。
【００１６】
なお、接着部材２８の接着面２９は、例えばシリコンラバー等から構成されていて、接着面２９に付着した微細な塵埃を洗浄により落とせるようになっている。
【００１７】
［作用］
上述した構成の電気掃除機において、電動送風機１１が駆動されると、図１に示す吸込口体２０から空気及び塵埃が吸引され、この空気及び塵埃がホース１５等を介して図２中の集塵フィルタ１３内に吸引されていく。
【００１８】
そして、この集塵フィルタ１３により濾過されて塵埃が捕捉されると共に、空気は集塵フィルタ１３から集塵室１２内及び後部側の２次フィルタ２５へ吸引されていく。
【００１９】
電気掃除機を長期間の使用により、２次フィルタ本体２３の２次フィルタ２５（図３参照）の目詰まりが次第に進行していく。
【００２０】
これと共に、接着部材２８の接着面２９に付着する塵埃の量も多くなって接着部材の汚れが大きく（色が濃く）なって、「お手入れ」の告知文字３０が浮かび上がってくる。これにより、使用者は、２次フィルタ２５を洗浄すべき時期であることを認識することができる。
【００２１】
上記実施例では、接着部材２８に告知文字３０が浮かび上がるようにしたが、単に汚れの濃さで２次フィルタ２５の目詰まりが判るようにしてもよい。
【００２２】
なお、接着部材２８は、複数枚の接着部材２８を表示部２７に装着可能にしておいて、上側の接着部材２８が塵埃により使用不能になったときに、この上側の接着部材２８を剥離して次の接着部材２８に塵埃を付着させるようにすることも可能である。
【００２３】
また、接着部材２８の簡易型として、例えば、両面に粘着性を有する両面テープを代用することも可能である。
【００２４】
また、微細塵を付着させる接着部材２８の配置場所として、本実施例ではフィルタ保持枠２４を例にして説明したが、使用者が目視できる場所であれば集塵室１２内のいずれの場所であってもよいことは勿論である。
【００２５】
以上説明した本発明の実施の形態に係わる電気掃除機は、塵埃を捕捉する集塵フィルタ（１３）を装着可能な集塵室（１２）を前部に有する掃除機本体（１０）と、前記集塵室（１２）内に吸込負圧を生じさせる電動送風機（１１）と、前記集塵フィルタ（１３）の下流側に配設されていて前記集塵フィルタ（１３）により濾過された空気内の塵埃を捕捉するための２次フィルタ（２５）と、を備えている。この電気掃除機は、前記集塵室（１２）内の塵埃を付着させる接着面（２９）を有する接着部材（２８）を前記集塵室（１２）内に配設してある。
【００２６】
この構成によれば、掃除機本体（１０）に設けられている集塵室（１２）内に塵埃を付着させる接着面（２９）を有する接着部材（２８）を設けたので、接着面（２９）に付着する塵埃の量を使用者が目視するだけで２次フィルタ（２５）の目詰まり状態を容易に認識することができて、２次フィルタ（２５）の洗浄時期を使用者に確実に告知することができる。
【００２７】
また、本発明の実施の形態に係わる電気掃除機は、前記接着部材（２８）は、前記集塵室（１２）に取り外し可能に配設されている。
【００２８】
この構成によれば、接着面（２９）を有する接着部材（２８）を集塵室（１２）から着脱自在のフィルタ保持枠（２４）に取り外し可能に設けたので、２次フィルタ（２５）の洗浄時期に対応する状態まで接着面（２９）が汚損したときに、この接着部材（２８）を他の新鮮な接着部材（２８）と容易に交換することができる。
【００２９】
また、本発明の実施の形態に係わる電気掃除機は、前記接着部材（２８）は、前記接着面）（２９）に付着した塵埃を除去するように洗浄可能になっている。
【００３０】
この構成によれば、接着部材（２８）の接着面（２９）が洗浄可能なものからなっているので、２次フィルタ（２５）の目詰まり時に接着部材（２８）も同時に洗浄することができて、接着部材（２８）を塵埃を付着可能な元の状態に復元することができる。
【００３１】
また、本発明の実施の形態に係わる電気掃除機は、前記接着部材（２８）は、前記２次フィルタ（２５）の目詰まりを知らせる告知文字（３０）を形成している。
【００３２】
この構成によれば、接着部材（２８）に２次フィルタ（２５）の目詰まりを告知する告知文字（３０）を有すると共に、この告知文字（３０）部分が接着面（２９）からなっているので、２次フィルタ（２５）が次第に目詰まり状態に近づくにしたがって告知文字（例えば、「お手入れ」）（３０）に塵埃が付着していって「お手入れ」等の告知文字（３０）が次第に鮮明に浮き上がることになり、２次フィルタ（２５）の洗浄時期を使用者に確実に告知することができる。
【図面の簡単な説明】
【００３３】
【図１】本発明が適用されている電気掃除機の全体を示す斜視図である。
【図２】掃除機本体の集塵室を示す斜視図である。
【図３】２次フィルタを示す正面図である。
【符号の説明】
【００３４】
１０            掃除機本体
１１            電動送風機
１２            集塵室
１３            集塵フィルタ
２３            ２次フィルタ本体
２４            フィルタ保持枠
２５            ２次フィルタ
２８            接着部材
２９            接着面
３０            告知文字
【図１】
2006181150.tif 000003
【図２】
2006181150.tif 000004
【図３】
2006181150.tif 000005